(57)【要約】  液体を送達するための装置が、ノズルを備える棒状体と、トグルスイッチと、セルフタンニングおよびサンタンニング溶液を人体へ送達するための供給キャニスタとを含む。棒状体は、棒状体と供給キャニスタとの間にぶら下げられた露出された外部チューブの必要性なしに、送達されることになる選択された液体を包含する供給キャニスタへ取り付けられたキャップへ、枢動可能に取り付けられ得る。
2017512728.tif 000002
【特許請求の範囲】
【請求項１】
液体を送達するための装置であって、
前記液体を包含するよう適合された供給キャニスタと、
前記供給キャニスタへ取り付けられたキャニスタキャップと、
基端部と末端部とを有する棒状体であって、前記基端部が前記キャニスタキャップへ枢動可能に取り付けられた棒状体と、
前記供給キャニスタ内の前記液体を放出するよう適合されたアクチュエータと、
前記液体を前記棒状体の前記末端部へ運ぶために前記棒状体内に少なくとも部分的に収納されたチューブと
を含む、液体を送達するための装置。
【請求項２】
前記棒状体が、前記液体を望ましい位置に向かって噴霧するために、前記棒状体の前記末端部で、前記チューブへ取り付けられたノズルをさらに含む、請求項１に記載の装置。
【請求項３】
前記棒状体がチューブ開口部を含み、前記チューブが前記チューブ開口部から前記ノズルへ延在する、請求項１に記載の装置。
【請求項４】
前記アクチュエータが、前記キャニスタから前記ノズルへの液体の流れを放出するまたは止めるための、前記キャニスタキャップ上に位置するトリガスイッチを含む、請求項１に記載の装置。
【請求項５】
前記チューブ開口部が前記棒状体の前記基端部上に位置する、請求項３に記載の装置。
【請求項６】
液体を送達するための装置であって、
液体を運ぶためのある長さのチューブを収納する棒状体であって、前記棒状体が送達端部と、本体と、供給端部とを有し、前記チューブが液体供給キャニスタへ取り付けられる、棒状体を含む、液体を送達するための装置。
【請求項７】
前記棒状体が５〜９インチの長さである、請求項６に記載の装置。
【請求項８】
前記送達端部が前記液体を噴霧するためのノズルを含む、請求項６に記載の装置。
【請求項９】
前記送達端部が角度を付けられている、請求項６に記載の装置。
【請求項１０】
前記送達端部が１〜１５度の角度を付けられている、請求項９に記載の装置。
【請求項１１】
前記棒状体供給端部がアパーチャを含み、前記チューブが前記アパーチャを通して位置づけられる、請求項６に記載の装置。
【請求項１２】
前記棒状体供給端部が、前記棒状体をキャニスタキャップまたは供給キャニスタへ枢動可能に取り付けるための貫通孔を含む、請求項６に記載の装置。
【請求項１３】
液体をヒトへ噴霧するための方法であって、
ノズルを前記ヒトの身体の望ましい表面位置に向けるために、前記液体の供給キャニスタへ取り付けられた棒状体を枢動させるステップと、
アクチュエータを押圧することによりタンニング液体の流れを前記供給キャニスタから放出するステップと、
前記タンニング液体を、チューブを通して前記供給キャニスタから、前記ノズルへおよび前記ノズルを通して前記望ましい位置へ流すステップと
を含む方法。
【請求項１４】
前記棒状体が前記供給キャニスタへ枢動可能に取り付けられた基端部と末端部とを含み、前記末端部が前記ノズルを収納する、請求項１３に記載の方法。
【請求項１５】
前記液体をチューブを通して流すステップが、前記液体を前記棒状体を通して流すことを含む、請求項１３に記載の方法。
【請求項１６】
液体の流れを放出するステップがバルブを作動させることを含む、請求項１３に記載の方法。
【請求項１７】
前記バルブを作動させるステップが、トリガを押圧することを含む、請求項１６に記載の方法。
【請求項１８】
前記液体をチューブを通して流すステップが、前記液体を前記供給キャニスタから、前記棒状体のアパーチャを通して、前記棒状体の前記長さを通して、前記ノズルへ流すことを含む、請求項１３に記載の方法。
【請求項１９】
前記供給キャニスタがエアロゾル供給キャニスタを含む、請求項１に記載の装置。
【請求項２０】
前記棒状体の前記基端部が前記キャニスタキャップ内に包含される、請求項１に記載の装置。
【発明の詳細な説明】
【技術分野】
【０００１】
関連出願の相互参照
本ＰＣＴ特許出願は、「噴霧タンニング送達デバイス」という名称で米国特許法第１１１条（ａ）に基づき２０１１年４月６日に出願された米国特許出願第１３／０６４，６７８号明細書の優先権の利益を主張する。この関連特許出願の内容は、このような主題が本明細書の内容と矛盾することもそれを限定することもない範囲で、あらゆる目的のために参照により本明細書に組み込まれる。
【０００２】
本発明は概して、液体の送達のための装置および方法、より具体的には、噴霧タンニングおよびパーソナルケア溶液の自己塗布による送達に関する。
【背景技術】
【０００３】
健康および安全性への関心が高まるにつれ、サンレスタンニング噴霧器およびパーソナルケア噴霧器の出現がかなり有利であることが分かってきた。しかしながら、標準サイズの噴霧ノズルの使用は溶液の均一な塗布をもたらさず、特に自己塗布の場合にそれらは届きにくい場所への溶液の塗布を円滑にすることもない。
【０００４】
他の多くの用途において、加圧噴霧デバイスはより均一な塗布をもたらすが、加圧状態をもたらすために溶液をアプリケータまたはモーターで運ぶのに使用する長いチューブの干渉により扱いにくい。多くの場合において、タンニング溶液を含む容器はアプリケータとは分かれており、したがって、特に自己塗布の間に、アプリケータを移動させるまたは理想的に位置づける能力を限定する。同様に、タンニング溶液の流れを提供するノズルまたはアプリケータは管理するのが難しい場合がある。
【０００５】
例えば、米国特許出願公開第２００４／００５０９６２Ａ１号明細書に記載される携帯式噴霧デバイスは、噴射剤と液体とを含む、プロパンタンクと同様の円筒形金属キャニスタを用いる。長いチューブがキャニスタから噴霧器へ延在する。圧力により、噴霧器内のノズルが安定した霧の形の液体を提供することが可能になる。噴射剤と液体とを含むキャニスタの寸法が大きいことは、デバイスが地面上に静止し続けることを決定づける。したがって、ノズルのみが容易に操作され得る。
【０００６】
米国特許第４，４０７，１２４号明細書は、エアロゾルキャニスタに似たいくつかの貯蔵器が液体を含み、貯蔵器がユーザのベルト上に固定されたポーチ内に保持される、噴霧システムの別の例を提供する。長い、巻かれたホースが、使用される貯蔵器上のバルブから噴霧のためのノズルへ延在する。噴霧システムは携帯式であるが、ポーチおよびベルトの必要性がユーザの操作性を制限し得る。
【０００７】
既存の噴霧デバイスのさらなる例として、米国特許出願公開第２００４／０２５１２７２Ａ１号明細書は、バルブとノズルとを有する剛性の外側キャニスタを含むサンレスタンニング噴霧ディスペンサーを提示する。タンニング溶液および噴射剤は、一般的なエアロゾル缶に似たキャニスタ内に収納される。先行例と異なり、この噴霧デバイスは長いチューブまたはホースまたは静止した液体源を無くすことができる。しかしながら、ユーザはキャニスタのごく近傍のみに噴霧するよう限られている。したがって、ユーザが身体の前側と背中側の両方に均一な塗布を達成することを望む場合、ユーザは背中側の特定の領域に届くことが難しい場合がある。
【発明の概要】
【発明が解決しようとする課題】
【０００８】
分かり得るとおり、改良された装置、および、均一な塗布のための溶液の安定した流れを維持しつつ身体の様々な位置へ溶液を塗布することを円滑にし得る方法が必要とされている。
【課題を解決するための手段】
【０００９】
本発明の一態様において、液体を送達するための装置は、液体を包含するよう適合された供給キャニスタと、供給キャニスタへ取り付けられたキャニスタキャップと、キャニスタキャップへ枢動可能に取り付けられた棒状体（ｗａｎｄ）と、供給キャニスタ内の液体を放出するよう適合されたトリガと、液体を棒状体の末端部の噴霧ノズルへ運ぶチューブとを含む。
【００１０】
本発明のこれらのならびに他の特徴、態様および利点は、以下の図面、説明および特許請求の範囲を参照するとより理解されるようになるだろう。
【図面の簡単な説明】
【００１１】
【図１】上部カバーが開いた、本発明の一実施形態による送達デバイスの斜視図である。
【図２】図１のデバイスのキャニスタの斜視図である。
【図３】図１のデバイスの噴霧器棒状体の斜視図である。
【図４】図３の噴霧器棒状体の右側半部の斜視図である。
【図５】図３の噴霧器棒状体の左側半部の斜視図である。
【図６】図１のデバイスの噴霧器先端部の例示的実施形態の斜視図である。
【図７】図１のデバイスの開いたキャニスタキャップの斜視図である。
【図８】図３の噴霧器棒状体を図７のキャニスタキャップと枢動可能に接続するためのボタンの斜視図である。
【図９】キャニスタキャップの一部が除去された、図１のデバイスの斜視図である。
【図１０】図１のデバイスのトリガの斜視図である。
【図１１】図１のデバイスのバルブ連結器の斜視図である。
【発明を実施するための形態】
【００１２】
以下の詳細な説明は、本発明を実施する現在想定される最良の形態である。説明は限定する意味で解釈されてはならず、本発明の一般原理を説明することのみを目的とするためになされるものと解釈され、その理由は、本発明の範囲は添付の特許請求の範囲により最も良く定義されるからである。
【００１３】
大まかに言えば、本発明は液体を例えば人体へ送達および塗布するための装置ならびに方法を提供する。例えば、送達される液体は、例えば日焼け止めローション、日焼け防止剤、日焼け止めクリーム、セルフタンニング溶液、サンレスタナー、日焼け後の保湿剤、防虫剤、化粧品、ブロンズ液、保湿液、特別な人体への噴霧器などのサンケアおよび化粧製品を含み得る。液体は事実上他の任意のタイプの液体であってもよい。例えば、殺虫剤、潤滑剤、顔料、医療用噴霧などが本発明の装置から送達され得る。特に、本発明の送達デバイスの寸法および軽量の構成はユーザが身体の様々な位置に容易に到達することを可能にするため、本発明は液体の自己塗布を円滑にするのに使用され得る。
【００１４】
キャニスタへ結合された長い中間チューブへ取り付けられたノズルを用いる先行技術と異なり、本発明は、届きにくい場合のある領域へアクセスし易くするため、ノズルと供給キャニスタとの間の距離を維持しながら、ノズルと加圧供給キャニスタとを、統合された、携帯式噴霧デバイス内へ包含する。かくして、ユーザが自身の背中側に噴霧することを望む状況において、ユーザは自身の肩越しに棒状体を逆さにした位置で保持し、背中側に向けることができ、それにより短いノズルでは届くことができないであろう領域に到達させることができる。
【００１５】
本発明は、供給キャニスタとノズルとの間の長尺の露出された中間チューブの必要性を無くし得る。従来のエアブラシタイプの液体送達システムは、短い噴霧ガンまたはノズルであって、噴霧ガンの外部にある長尺の露出された中間チューブを介して圧縮空気の供給源へ典型的には接続される短い噴霧ガンまたはノズルに依存している。しばしば、長尺のチューブは、噴霧ガンとキャニスタとの間にぶら下げられるように掛けられる。本発明の実施形態は、液体をノズル位置から離れた位置に保持するための供給キャニスタを使用する。チューブを中に包含する棒状体は一端にノズルを有し、供給キャニスタへ接続され得る。したがって、ノズルは、外部チューブの干渉を受けることなく、様々な角度および高さで身体に噴霧するよう操作され得る。
【００１６】
図１は、キャニスタキャップ１２が開位置にある噴霧デバイス１０の斜視図である。デバイス１０は、供給キャニスタ１４と棒状体１６とを含み得る。供給キャニスタ１４は、デバイス１０により送達されることになるセルフタンニング噴霧などの液体を含み得る。液体は供給キャニスタ１４内で加圧され得る。棒状体１６は、以下でより詳細に検討されるとおり、キャニスタキャップ１２へ枢動可能に取り付けられ得る。
【００１７】
図２はキャニスタ１４の斜視図である。キャニスタ１４はキャニスタバルブ１８を有し得る。一実施形態において、キャニスタバルブ１８は、バルブ１８をキャニスタ１４の本体に向かって内側に押すことによりキャニスタ１４の内側から液体を放出することができる。
【００１８】
図３は棒状体１６の斜視図を示す。棒状体の末端部２０は噴霧ノズル２２（図６参照）を含み得る。棒状体の基端部２４は貫通孔２６を含み得る。貫通孔２６により棒状体１６がキャニスタキャップ１２へ枢動可能に取り付けられることが可能になり得る。基端部２４における溝２８により、チューブ３０（図４参照）が、キャニスタキャップ１２内から棒状体１６の末端部２０へわたされることが可能になり得る。
【００１９】
図４および５は棒状体１６の右側半部３２および左側半部３４を示す。チューブ３０は、棒状体１６の長さにわたされ得る連続的な長さの可撓性チューブのであり得る。
【００２０】
図６に示されるとおり、チューブ３０は噴霧ノズル７８のチューブ接続端部３６へ接続され得る。噴霧ノズル７８は、キャニスタ１４内の液体を人などの対象へ送達するための噴霧出口３８を含み得る。
【００２１】
図７に示されるとおり、キャニスタキャップ１２は、本発明の一実施形態において、一体成形ヒンジ４４により一緒に結合され得る第１半部４０と第２半部４２とを含み得る。各半部４０、４２は棒状体取付部材４６を含み得る。各棒状体取付部材４６はキャニスタキャップ１２と一体的に形成されてもよく、貫通孔４８を含み得る。棒状体取付部材４６は棒状体１６の基端部２４を挟み得る。貫通孔４８は棒状体１６の貫通孔２６と整列し得る。
【００２２】
本発明の一実施形態において、図８に示されるとおり、ボタン部材５０が、棒状体１６をキャニスタキャップ１２の各半部４０、４２へ固定するのに使用され得る。一方のボタン部材５０がキャニスタキャップ１２の一方の半部４０の貫通孔４８へ挿入され得る。別のボタン部材５０がキャニスタキャップ１２の他方の半部４２の貫通孔４８へ挿入され得る。ボタン部材５０は棒状体１６の貫通孔２６内を通過して棒状体１６の各半部３２、３４を保持し得る。ボタン部材５０のタブ５２は、挿入されて棒状体１６をキャニスタキャップ１２へ枢動可能に保持すると、ボタン部材５０の除去を防止し得る。代替的に、単一のボタン部材５０が、キャニスタキャップの両方の半部４０、４２の貫通孔４８および棒状体の貫通孔２６を通過するのに使用されてもよい。
【００２３】
図９〜１１を参照すると、トリガ５４が、キャニスタキャップ１２内に配置されるトリガ端部５６で配置されてもよく、トリガ端部５８はキャニスタキャップ１２から外向きに延在する。トリガ端部５８は、以下で検討されるとおり、液体をキャニスタ１４から放出するためにユーザにより圧力をかけられ得る。
【００２４】
トリガ端部５６は、ユーザがトリガ５４のトリガ端部５８に圧力をかけると、実質的に矢印６０の方向に移動し得る。トリガ端部５６の傾斜面６２は、バルブ連結器６６の各端部に配置されたローラー６４を押圧し得る。この押圧はバルブ連結器６６をキャニスタ１４の本体に向かって移動させることができ、キャニスタ１４内の液体をバルブ連結器雄継ぎ手７６から放出させ得る。バルブ連結器雄継ぎ手７６は、棒状体１６を通って延在するチューブ３０へ取り付けられ得る。ローラー６４は、ローラピン６８へ取り付けられ得る。
【００２５】
トリガ５４はキャニスタキャップ１２へピン７０でさらに固定され得る。溝７２がトリガ５４内に配置され得、トリガ５４の矢印６０の方向への移動を可能にしつつ、トリガの他の方向への移動を制限する。
【００２６】
本発明のデバイス１０を使用するために、ユーザは棒状体１６をキャニスタ１４に対して望ましい角度で枢動させ得る。ユーザは次いで、トリガ５４の傾斜面６２にバルブ連結器６６を押圧させ得るトリガ５４を押圧し得る。これは、キャニスタ１４内の液体を連結器雄継ぎ手７６から、チューブ３０を通して、かつ噴霧ノズル７８を通して外に、放出させ得る。
【００２７】
当然のことながら、前述のことは本発明の例示的な実施形態に関するものであること、および、以下の特許請求の範囲で定められるとおりの本発明の趣旨および範囲から逸脱することなく修正がなされ得ることを理解されたい。
【図１】
2017512728.tif 000003
【図２】
2017512728.tif 000004
【図３】
2017512728.tif 000005
【図４】
2017512728.tif 000006
【図５】
2017512728.tif 000007
【図６】
2017512728.tif 000008
【図７】
2017512728.tif 000009
【図８】
2017512728.tif 000010
【図９】
2017512728.tif 000011
【図１０】
2017512728.tif 000012
【図１１】
2017512728.tif 000013
【国際調査報告】
2017512728.tif 000014